(57)【要約】【課題】  リモコン等の指示具を用いることなく画像の投写制御等を行うことが可能なプロジェクター等を提供すること。【解決手段】  プロジェクター１００が、投写対象領域における動作を検出する検出部１１０と、検出部１１０による検出に基づき、上記動作が対象動作に該当するかどうかを判定する判定部１２０と、判定部１２０によって上記動作が対象動作に該当すると判定された場合、当該対象動作に応じた制御を行う制御部１６０を含んで構成される。【選択図】  図３
2014142664.tif 000002
【特許請求の範囲】
【請求項１】
投写対象領域における動作を検出する検出部と、
当該検出部による検出に基づき、前記動作が対象動作に該当するかどうかを判定する判定部と、
当該判定部によって前記動作が対象動作に該当すると判定された場合、当該対象動作に応じた制御を行う制御部と、
を含むプロジェクター。
【請求項２】
請求項１に記載のプロジェクターにおいて、
画像を投写する投写部を含み、
前記対象動作は、開動作および閉動作を含み、
前記制御部は、前記判定部によって前記動作が前記開動作に該当すると判定された場合、前記投写部に対し、画像の投写を開始させる制御を行い、前記判定部によって前記動作が前記閉動作に該当すると判定された場合、前記投写部に対し、画像の投写を終了させる制御を行う、
プロジェクター。
【請求項３】
請求項２に記載のプロジェクターにおいて、
前記検出部は、ブラインドの操作部を模した操作部材の回転操作を検出し、
前記判定部は、前記操作部材が開方向に回転操作された場合、前記動作が前記開動作に該当すると判定し、前記操作部材が閉方向に回転操作された場合、前記動作が前記閉動作に該当すると判定する、
プロジェクター。
【請求項４】
請求項２または請求項３に記載のプロジェクターにおいて、
前記投写部は、複数の個別画像を含む全体画像を投写し、
前記検出部は、前記動作の行われた位置を検出し、
前記判定部は、前記検出部によって検出された位置に基づき、対象の個別画像を決定し、
前記制御部は、前記判定部によって前記動作が前記開動作に該当すると判定された場合、前記投写部に対し、前記判定部によって決定された個別画像を含む全体画像を投写させる制御を行い、前記判定部によって前記動作が前記閉動作に該当すると判定された場合、前記投写部に対し、前記判定部によって決定された個別画像を含まない全体画像を投写させる制御を行う、
プロジェクター。
【請求項５】
請求項１〜４のいずれかに記載のプロジェクターにおいて、
他の装置と通信を行う通信部を含み、
前記対象動作は、ノック動作を含み、
前記制御部は、前記動作が前記ノック動作に該当すると判定された場合、前記通信部に対し、前記ノック動作に対応した装置との通信を開始させる制御を行う、
プロジェクター。
【請求項６】
請求項１〜４のいずれかに記載のプロジェクターにおいて、
他の表示装置と通信を行う通信部を含み、
前記制御部は、前記対象動作に応じた制御として、前記通信部に対し、前記表示装置における画像の表示を変更させる表示制御情報を前記表示装置へ向け送信させる制御を行う、
プロジェクター。
【請求項７】
プロジェクターが、
投写対象領域における動作を検出し、
当該検出部による検出に基づき、前記動作が対象動作に該当するかどうかを判定し、
前記動作が対象動作に該当する場合、当該対象動作に応じた制御を行う、
制御方法。
【発明の詳細な説明】
【技術分野】
【０００１】
本発明は、プロジェクターおよび制御方法に関する。
【背景技術】
【０００２】
一般的に、ユーザーは、リモコン（リモートコントローラー）を操作することにより、プロジェクターによる画像の投写を開始させたり、終了させたり、画像を変更したりする操作を行う。また、例えば、特開２００４−２７１９６６号公報では、人感センサーを用いて電源の供給を制御するプロジェクターが記載されている。
【先行技術文献】
【特許文献】
【０００３】
【特許文献１】特開２００４−２７１９６６号公報
【発明の概要】
【発明が解決しようとする課題】
【０００４】
しかし、近年、会議室での会議等のフォーマルコミュニケーションだけでなく、ミーティングエリアでの立ち話等のインフォーマルコミュニケーションの重要性が高まっている。同じ室内であればインフォーマルコミュニケーションは可能であるが、異なる部屋にいるユーザー同士がインフォーマルコミュニケーションを行うことは困難である。また、インフォーマルコミュニケーションで、プロジェクターを用いて画像を投写する場合、リモコンは備えられていないため、ユーザーは、リモコンを用いないでプロジェクターを使用する必要がある。また、このようなインフォーマルコミュニケーションの場合、必要な時だけプロジェクターを使用する必要があるため、人感センサーを用いて人の有無に応じて電源の供給を制御する手法等は適切ではない。
【０００５】
本発明にかかるいくつかの態様は、上記課題を解決することにより、リモコン等の指示具を用いることなく画像の投写制御等を行うことが可能なプロジェクターおよび制御方法を提供するものである。
【課題を解決するための手段】
【０００６】
本発明の態様の１つであるプロジェクターは、投写対象領域における動作を検出する検出部と、当該検出部による検出に基づき、前記動作が対象動作に該当するかどうかを判定する判定部と、当該判定部によって前記動作が対象動作に該当すると判定された場合、当該対象動作に応じた制御を行う制御部と、を含むことを特徴とする。
【０００７】
また、本発明の態様の１つである制御方法は、プロジェクターが、投写対象領域における動作を検出し、当該検出部による検出に基づき、前記動作が対象動作に該当するかどうかを判定し、前記動作が対象動作に該当する場合、当該対象動作に応じた制御を行うことを特徴とする。
【０００８】
本発明によれば、プロジェクターは、投写対象領域における動作を検出し、当該動作が適合する対象動作に応じた制御を行うことにより、リモコン等の指示具を用いることなく画像の投写制御等を行うことができる。
【０００９】
また、前記プロジェクターは、画像を投写する投写部を含み、前記対象動作は、開動作および閉動作を含み、前記制御部は、前記判定部によって前記動作が前記開動作に該当すると判定された場合、前記投写部に対し、画像の投写を開始させる制御を行い、前記判定
部によって前記動作が前記閉動作に該当すると判定された場合、前記投写部に対し、画像の投写を終了させる制御を行ってもよい。これによれば、プロジェクターは、リモコン等の指示具を用いることなく、開動作または閉動作に応じて画像の投写制御等を行うことができる。
【００１０】
また、前記検出部は、ブラインドの操作部を模した回転操作が可能な操作部材を含み、前記判定部は、前記操作部材が開方向に回転操作された場合、前記動作が前記開動作に該当すると判定し、前記操作部材が閉方向に回転操作された場合、前記動作が前記閉動作に該当すると判定してもよい。これによれば、プロジェクターは、リモコン等の指示具を用いることなく、回転操作に応じて画像の投写制御等を行うことができる。
【００１１】
また、前記投写部は、複数の個別画像を含む全体画像を投写し、前記検出部は、前記動作の行われた位置を検出し、前記判定部は、前記検出部によって検出された位置に基づき、対象の個別画像を決定し、前記制御部は、前記判定部によって前記動作が前記開動作に該当すると判定された場合、前記投写部に対し、前記判定部によって決定された個別画像を含む全体画像を投写させる制御を行い、前記判定部によって前記動作が前記閉動作に該当すると判定された場合、前記投写部に対し、前記判定部によって決定された個別画像を含まない全体画像を投写させる制御を行ってもよい。これによれば、プロジェクターは、所望の個別画像の投写制御等を行うことができる。
【００１２】
また、前記プロジェクターは、他の装置と通信を行う通信部を含み、前記対象動作は、ノック動作を含み、前記制御部は、前記動作が前記ノック動作に該当すると判定された場合、前記通信部に対し、前記ノック動作に対応した装置との通信を開始させる制御を行ってもよい。これによれば、プロジェクターは、リモコン等の指示具を用いることなく、通信制御を行うことができる。
【００１３】
また、前記プロジェクターは、他の表示装置と通信を行う通信部を含み、前記制御部は、前記対象動作に応じた制御として、前記通信部に対し、前記表示装置における画像の表示を変更させる表示制御情報を前記表示装置へ向け送信させる制御を行ってもよい。これによれば、プロジェクターは、対象動作に応じて他の表示装置における画像の表示を変更させる制御を行うことができる。
【図面の簡単な説明】
【００１４】
【図１】第１の実施例における投写状況の一例を示す図である。
【図２】第１の実施例におけるプロジェクターの外観図である。
【図３】第１の実施例におけるプロジェクターの機能ブロック図である。
【図４】第１の実施例におけるプロジェクターのハードウェアブロック図である。
【図５】第１の実施例における投写手順を示すフローチャートである。
【図６】第１の実施例における投写状況の他の一例を示す図である。
【図７】第１の実施例における投写状況の他の一例を示す図である。
【図８】第１の実施例における投写状況の他の一例を示す図である。
【図９】第２の実施例における投写状況の一例を示す図である。
【図１０】第２の実施例におけるプロジェクターの機能ブロック図である。
【図１１】第２の実施例における投写状況の他の一例を示す図である。
【図１２】第２の実施例における投写状況の他の一例を示す図である。
【図１３】その他の実施例における全体画像の一例を示す図である。
【図１４】その他の実施例における全体画像の他の一例を示す図である。
【発明を実施するための形態】
【００１５】
以下、本発明をプロジェクターに適用した実施例について、図面を参照しつつ説明する
。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例における投写状況の一例を示す図である。ここでは、遠隔地間でプロジェクター１００等を用いた会話が行われているものとする。例えば、東京にあるキャビネット７０が置かれた資料室にいる社員６０が、大阪にある机５０が置かれた休憩室にいる社員４０と会話している。東京の資料室にある壁１０には、金具３０によって上方に単焦点型のプロジェクター１００が取り付けられている。また、東京の資料室の天井に取り付けられたカメラ３００は、壁１０の方向を撮像し、プロジェクター１００は、カメラ３００による撮像データを大阪の休憩室に設置されたプロジェクターに送信する。また、プロジェクター１００は、投写対象領域の一種である壁１０に、大阪のプロジェクターから送信された画像情報に基づく画像２０を投写している。画像２０は、大阪にある休憩室の様子を示している。
【００１７】
図２は、第１の実施例におけるプロジェクター１００の外観図である。図２のプロジェクター１００は、図１の設置状態が上下逆になった状態（底面が天面になった状態）を示す。プロジェクター１００は、撮像部１１４、投写部１９０等を含む。なお、図１に示す設置状態では、プロジェクター１００の底面における壁１０に向かう斜面に撮像部１１４、投写部１９０等が設けられている。
【００１８】
次に、プロジェクター１００の機能ブロックについて説明する。図３は、第１の実施例におけるプロジェクター１００の機能ブロック図である。プロジェクター１００は、投写対象領域における動作を検出する検出部１１０と、検出部１１０による検出に基づき、上記動作が対象動作に該当するかどうかを判定する判定部１２０と、記憶部１３０と、通信部１４０と、記憶部１３０内のデータを更新する更新部１５０と、判定部１２０によって上記動作が対象動作に該当すると判定された場合、当該対象動作に応じた制御を行う制御部１６０と、音声入力部１７０と、音声出力部１８０と、投写部１９０を含んで構成されている。また、検出部１１０は、撮像部１１４を含む。また、記憶部１３０は、画像情報１３２、撮像情報１３４、判定データ１３６等を記憶している。
【００１９】
なお、プロジェクター１００は、以下のハードウェアを用いてこれらの各部として機能してもよい。図４は、第１の実施例におけるプロジェクター１００のハードウェアブロック図である。例えば、プロジェクター１００は、撮像部１１４はＣＭＯＳカメラ９２０等、判定部１２０、更新部１５０、制御部１６０はＣＰＵ９１０等、記憶部１３０はＲＡＭ９３０等、通信部１４０は無線通信ユニット９４０、有線通信ユニット９４２等、音声入力部１７０はマイク９５０、コンバーター９５２等、音声出力部１８０は音声処理回路９６０、アンプ９６２、スピーカー９６４等、投写部１９０はランプ９８０、液晶パネル９８２、液晶駆動回路９８４、レンズ９８６等を用いてもよい。
【００２０】
次に、本実施例における画像２０の投写手順について説明する。図５は、第１の実施例における投写手順を示すフローチャートである。撮像部１１４は、投写対象領域である壁１０を撮像し、更新部１５０は、撮像部１１４による撮像画像を示す撮像情報１３４を記憶部１３０に記憶する（ステップＳ１）。なお、撮像部１１４の撮像範囲は、画像２０と同じ範囲であってもよいし、画像２０を含み、画像２０よりも広い範囲であってもよい。また、投写対象領域は、壁１０の表面に限定されず、壁１０から離れ、壁１０に近接した領域であってもよい。
【００２１】
判定部１２０は、撮像情報１３４に基づき、社員６０の動作が対象動作に該当するかど
うかを判定する。例えば、判定部１２０は、異なる時点の撮像画像の差分画像を用いることにより、社員６０の動作が対象動作に該当するかどうかを判定してもよい。より具体的には、判定部１２０は、社員６０が、通信開始を示すノック動作を行ったかどうかを判定し（ステップＳ２）、画像の投写開始を示す開動作を行ったかどうかを判定し（ステップＳ４）、画像の投写終了を示す閉動作を行ったかどうかを判定する（ステップＳ１１）。なお、ノック動作、開動作、閉動作は制御の対象になる対象動作である。
【００２２】
ここで、ノック動作について説明する。図６は、第１の実施例における投写状況の他の一例を示す図である。例えば、図６に示すように、社員６０が壁１０を２回連続して叩く動作を行った場合、投写対象領域でノック動作が行われたことに該当するため、制御部１６０は、通信部１４０に対し、大阪にある通信先のプロジェクターとの通信を開始させる制御を行う（ステップＳ３）。
【００２３】
次に、開動作について説明する。図７は、第１の実施例における投写状況の他の一例を示す図である。通信開始後、社員６０が画像の左端にある壁１０に５秒以上手を置いてから壁１０に沿って手を左から右に移動させた場合、投写対象領域で開動作が行われたことに該当する。開動作が行われた場合、投写部１９０は、カーテンを模した画像２４を投写し、社員６０が壁１０に沿って手を左から右に移動させた場合、当該手の移動に応じて、徐々に画像情報１３２に基づく画像２３の領域を増加させ、徐々に画像２４の領域を減少させる画像２１を投写する。
【００２４】
また、この場合、更新部１５０は、通信部１４０によってカメラ３００から受信された撮像データ１３５を記憶部１３０に記憶する（ステップＳ５）。また、音声入力部１７０は、マイクによって入力される社員６０の音声を示す音声データ１３９を記憶部１３０に記憶する（ステップＳ６）。また、制御部１６０は、通信部１４０に対し、撮像データ１３５および音声データ１３９を、通信先のプロジェクター（ノック動作に対応した装置）へ向け送信させる制御を行う（ステップＳ７）。これにより、大阪のプロジェクターは、社員６０等を示す画像を投写し、社員６０の音声を出力することができる。
【００２５】
また、通信部１４０は、通信先のプロジェクターから画像情報１３２および音声情報１３８を受信し、更新部１５０は、これらの情報を記憶部１３０に記憶する（ステップＳ８）。なお、画像情報１３２は、社員４０、机５０等が撮像された撮像画像を示す情報であり、音声情報１３８は、社員４０の音声を示す情報である。
【００２６】
投写部１９０は、画像情報１３２に基づき、画像を生成し、当該画像を壁１０に投写する（ステップＳ９）。また、音声出力部１８０は、音声情報１３８に基づく音声を出力する（ステップＳ１０）。
【００２７】
次に、閉動作について説明する。図８は、第１の実施例における投写状況の他の一例を示す図である。例えば、開動作後、社員６０が画像の右端にある壁１０に５秒以上手を置いてから壁１０に沿って手を右から左に移動させた場合、投写対象領域で閉動作が行われたことに該当する。この場合、投写部１９０は、カーテンを模した画像２４を投写し、社員６０が壁１０に沿って手を左から右に移動させた場合、当該手の移動に応じて、徐々に画像情報１３２に基づく画像２３の領域を減少させ、徐々に画像２４の領域を増加させる画像２２を投写する。また、この場合、制御部１６０は、投写部１９０に対し、画像情報１３２に基づく画像の生成、投写を終了させる制御を行い（ステップＳ１２）、通信部１４０に対し、大阪にある通信先のプロジェクターとの通信を終了させる制御を行う（ステップＳ１３）。
【００２８】
以上のように、本実施例によれば、プロジェクター１００は、投写対象領域における動
作を検出し、当該動作が適合する対象動作に応じた制御を行うことにより、リモコン等の指示具を用いることなく画像の投写制御等を行うことができる。これにより、プロジェクター１００は、インフォーマルコミュニケーションを活性化させることができる。また、画像２０の観察者にとっても、常に壁１０の方向を見ていればよいため、会話等に集中することができる。
【００２９】
また、本実施例によれば、プロジェクター１００は、リモコン等の指示具を用いることなく、開動作または閉動作に応じて画像の投写制御等を行うことができる。また、本実施例によれば、プロジェクター１００は、リモコン等の指示具を用いることなく、ノック動作に応じて通信制御を行うことができる。
【００３０】
さらに、本実施例によれば、プロジェクター１００は、画像情報１３２、撮像データ１３５、音声情報１３８、音声データ１３９を遠隔地にある他の表示装置と送受信することにより、遠隔地間のコミュニケーションを活性化させることができる。
【００３１】
（第２の実施例）
第１の実施例では、プロジェクター１００が社員６０の開閉動作に応じて画像の投写制御を行う例について説明したが、プロジェクターは、操作部材を用いたブラインドの開閉動作に応じて画像の投写制御を行ってもよい。次に、操作部材を用いたブラインドの開閉動作に応じた画像の投写制御について説明する。
【００３２】
図９は、第２の実施例における投写状況の一例を示す図である。プロジェクター１０１が投写する画像２５の外側に回転操作可能な操作部材９０が設けられ、操作部材９０の回転操作が伝達部材８０を介してプロジェクター１０１に伝達される。社員６０は、操作部材９０を回転させることにより、画像２５の投写を開始したり、終了したりすることができる。次に、このような機能を有するプロジェクター１０１の機能ブロックについて説明する。図１０は、第２の実施例におけるプロジェクター１０１の機能ブロック図である。プロジェクター１０１は、操作部材９０の操作を検出する検出部１１１を有している。その他の構成は第１の実施例と同様であるため、説明を省略する。
【００３３】
図１１は、第２の実施例における投写状況の他の一例を示す図である。また、図１２は、第２の実施例における投写状況の他の一例を示す図である。例えば、社員６０が、操作部材９０を回転させた場合、検出部１１１は、当該回転操作を検出し、判定部１２０は、当該回転操作による回転角度に応じて画像の表示方法を決定し、投写部１９０は、当該表示方法に応じて画像を生成し、投写する。
【００３４】
例えば、社員６０が操作部材９０を時計回りに９０度回転させた場合、投写部１９０は、ブラインド状であって、画像の半分の領域が隠れた画像２６を投写する。また、例えば、社員６０が操作部材９０を時計回りに１８０度回転させた場合、投写部１９０は、有効な画像のすべての領域が隠れた画像２７を投写する。一方、社員６０が操作部材９０を反時計回りに回転させた場合、投写部１９０は、回転角度に応じて徐々に表示される画像を投写する。
【００３５】
以上のように、本実施例によれば、プロジェクター１０１は、第１の実施例と同様の作用効果を奏する。また、本実施例によれば、プロジェクター１０１は、リモコン等の指示具を用いることなく、操作部材９０の回転操作に応じて画像の投写制御を行うことができる。
【００３６】
（その他の実施例）
なお、本発明の適用は上述した実施例に限定されず、変形が可能である。例えば、上述
した実施例の構成を組み合わせてもよい。また、上述した実施例では、画像の全体に対する表示制御が行われたが、画像の一部に対する表示制御が行われてもよい。図１３は、その他の実施例における全体画像２００の一例を示す図である。また、図１４は、その他の実施例における全体画像２０１の他の一例を示す図である。例えば、投写部１９０は、ロンドン支社に対応した個別画像２１０と、パリ支社に対応した個別画像２１２を含む全体画像２００を壁１０に投写する。
【００３７】
例えば、社員６０が壁１０に表示された個別画像２１０に対してノック動作または開動作を行った場合、検出部１１０、１１１は、壁１０に投写された全体画像２００におけるこれらの動作の行われた位置を検出し、判定部１２０は、当該位置に基づき、対象の個別画像２１０を決定し、投写部１９０は、判定部１２０の決定に応じて、ロンドン支社の休憩室の様子を示す個別画像２１１と、個別画像２１２を含む全体画像２０１を投写する。これによれば、プロジェクター１００は、所望の個別画像２１０〜２１２の投写制御等を行うことができる。
【００３８】
また、制御部１６０は、開閉動作に応じて通信対象を切り替えてもよい。例えば、通信部１４０は、開動作が行われた場合にロンドン支社にあるプロジェクターとの通信を行い、閉動作が行われた場合にパリ支社にあるプロジェクターとの通信を行ってもよい。また、上述した実施例では、開動作および閉動作があった場合、手の移動に応じて有効な画像の領域を増減させたが、制御部１６０は、開動作または閉動作があった場合、手の移動とは関係なく、自動的に有効な画像の領域を増減させてもよく、瞬時に有効な画像（開動作時）と無効な画像（閉動作時）を切り替えてもよい。また、上述した実施例では、プロジェクター１００、１０１は、画像と音声の両方を送受信したが、画像情報のみを送受信したり、音声情報のみを送受信したりしてもよい。
【００３９】
また、制御部１６０は、対象動作に応じた制御として、通信部１４０に対し、他の表示装置（１台でも２台以上でもよい。）における画像の表示を変更させる表示制御情報を当該表示装置へ向け送信させる制御を行ってもよい。より具体的には、例えば、表示制御情報は、ノック動作に応じた表示装置における画像の表示開始、電源のオン等を行わせる情報、ブラインドやカーテンの開閉動作に応じた表示装置における画像の表示開始終了等をを行わせる情報等であってもよい。
【００４０】
また、検出部は、上述したノック動作、開動作、閉動作、操作部材９０を用いた動作以外にも、例えば、接触する動作、離れる動作、振る動作、静止する動作、素早い動作、体を使って特定の形状を形成する動作等を対象動作として検出し、投写部１９０は、これらの動作に応じた画像を投写してもよい。また、検出部による動作の検出方法は、上述した手法に限定されず、例えば、赤外センサー等のセンサーを用いて体の位置を検出する手法、タッチパネル等を用いて接触や接触位置の変化を検出する手法等であってもよい。
【００４１】
また、第２の実施例では、検出部は、伝達部材８０を介して操作部材９０の回転操作を検出したが、操作部材を撮像したり、操作部材の近接を検出したりすることによって操作部材の回転操作を検出してもよい。例えば、社員がペンを持っている場合、検出部は、当該ペンの回転操作を検出し、制御部は当該回転操作に応じて、投写部に対し、画像の投写を開始させる制御を行ったり、画像の投写を終了させる制御を行ったりしてもよい。これによれば、プロジェクターは、特別な指示具ではなく、ペン等のその場にあるものを操作部材として適用することができるため、インフォーマルコミュニケーションを活性化することができる。
【００４２】
また、壁１０の複数箇所にスピーカーが設置されている場合、制御部１６０は、壁１０に投写される画像に含まれる社員４０の位置に最も近い位置にあるスピーカーから社員４
０の音声を出力させてもよい。また、同様に、制御部１６０は、指向性があり、出力方向を調整可能なスピーカーを用いて投写対象領域にある画像内の話者の位置から音声が聞こえるように当該スピーカーを制御してもよい。
【００４３】
また、投写対象領域は、壁１０に限定されず、例えば、スクリーン、ホワイトボード、黒板、窓ガラス、柱等であってもよく、プロジェクター１００、１０１と投写対象との間にある立体的空間であってもよい。また、投写対象領域が窓、柱等の異なる素材によって構成されている場合、投写部１９０は、撮像部１１４からの撮像情報に基づき、上記素材に応じて色や明るさを調整して画像を投写してもよい。また、通信対象となるノック動作に対応した装置は、プロジェクターに限定されず、例えば、サーバー、ＰＣ（Personal Computer）、テレビ等であってもよい。
【００４４】
また、プロジェクター１００、１０１の有するコンピューターは、情報記憶媒体に記憶されたプログラムを読み取って判定部１２０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４５】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりに有機ＥＬ素子、シリコン発光素子、レーザーダイオード、ＬＥＤ等の固体光源を含む自己発光素子を採用してもよい。また、プロジェクター１００、１０１の機能を複数の装置（例えば、ＰＣとプロジェクター等）に分散してもよい。
【符号の説明】
【００４６】
１０  壁（投写対象領域）、２０〜２７  画像、３０  金具、４０、６０  社員、５０
机、７０  キャビネット、８０  伝達部材、９０  操作部材、１００、１０１  プロジェクター、１１０、１１１  検出部、１１４  撮像部、１２０  判定部、１３０  記憶部、１３２  画像情報、１３４  撮像情報、１３５  撮像データ、１３６  判定データ、１３８  音声情報、１３９  音声データ、１４０  通信部、１５０  更新部、１６０  制御部、１７０  音声入力部、１８０  音声出力部、１９０  投写部、２００、２０１  全体画像、２１０〜２１２  個別画像、３００  カメラ、９１０  ＣＰＵ、９２０  ＣＭＯＳカメラ、９３０  ＲＡＭ、９４０  無線通信ユニット、９４２  有線通信ユニット、９５０  マイク、９５２  コンバーター、９６０  音声処理回路、９６２  アンプ、９６４  スピーカー、９８０  ランプ、９８２  液晶パネル、９８４  液晶駆動回路、９８６  レンズ
【図１】
2014142664.tif 000003
【図２】
2014142664.tif 000004
【図３】
2014142664.tif 000005
【図４】
2014142664.tif 000006
【図５】
2014142664.tif 000007
【図６】
2014142664.tif 000008
【図７】
2014142664.tif 000009
【図８】
2014142664.tif 000010
【図９】
2014142664.tif 000011
【図１０】
2014142664.tif 000012
【図１１】
2014142664.tif 000013
【図１２】
2014142664.tif 000014
【図１３】
2014142664.tif 000015
【図１４】
2014142664.tif 000016
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
画像を投写する投写部と、
前記投写部から前記画像が投写される投写対象領域における動作を検出する検出部と、
当該検出部による検出に基づき、前記動作が対象動作に該当するかどうかを判定する判定部と、
当該判定部によって前記動作が前記対象動作に該当すると判定された場合、当該対象動作に応じた制御を行う制御部と、を含み、
前記対象動作は、開動作および閉動作を含み、
前記判定部は、前記投写対象領域に沿って手が左方向または右方向に移動した場合に、前記動作が前記開動作に該当すると判定し、前記投写対象領域に沿って手が前記開動作と反対の方向に移動した場合に、前記動作が前記閉動作に該当すると判定し、
前記制御部は、前記判定部によって前記動作が前記開動作に該当すると判定された場合、前記投写部に対し、前記画像の投写を開始させる制御を行い、前記判定部によって前記動作が前記閉動作に該当すると判定された場合、前記投写部に対し、前記画像の投写を終了させる制御を行う、
プロジェクター。
【請求項２】
請求項１に記載のプロジェクターにおいて、
前記判定部は、前記投写対象領域に所定時間以上置かれた手が左方向または右方向に移動した場合に、前記動作が前記開動作または前記閉動作に該当すると判定する、
プロジェクター。
【請求項３】
請求項１または２に記載のプロジェクターにおいて、
前記制御部は、前記判定部によって前記動作が前記開動作に該当すると判定された場合、前記投写部に対し、有効な画像の領域を前記手の移動に応じて増加させる制御を行い、前記動作が前記閉動作に該当すると判定された場合、前記投写部に対し、有効な画像の領域を前記手の移動に応じて減少させる制御を行う、
プロジェクター。
【請求項４】
請求項１〜３のいずれかに記載のプロジェクターにおいて、
前記制御部は、前記投写部が第１の画像を投写しているときに、前記判定部によって前記動作が前記開動作に該当すると判定された場合、前記投写部に対し、第１の画像の投写を終了させて第２の画像の投写を開始させる制御を行い、前記投写部が第２の画像を投写しているときに、前記判定部によって前記動作が前記閉動作に該当すると判定された場合、前記投写部に対し、前記第２の画像の投写を終了させて前記第１の画像の投写を開始させる制御を行う、
プロジェクター。
【請求項５】
請求項４に記載のプロジェクターにおいて、
他の装置と通信を行う通信部を含み、
前記第２の画像は、前記通信部が受信した画像情報に基づく画像である、
プロジェクター。
【請求項６】
請求項４または５に記載のプロジェクターにおいて、
前記第１の画像は、カーテンを模した画像である、
プロジェクター。
【請求項７】
請求項４〜６のいずれかに記載のプロジェクターにおいて、
前記判定部は、前記投写対象領域に投写されている画像の左端または右端に置かれた手が反対側の端に向けて移動した場合に、前記動作が前記開動作または前記閉動作に該当すると判定する、
プロジェクター。
【請求項８】
請求項４〜７のいずれかに記載のプロジェクターにおいて、
前記制御部は、前記判定部によって前記動作が前記開動作に該当すると判定された場合、前記投写部に対し、前記手の移動に応じて前記第１の画像の領域を減少させて前記第２の画像の領域を増加させる制御を行い、前記動作が前記閉動作に該当すると判定された場合、前記投写部に対し、前記手の移動に応じて前記第１の画像の領域を増加させて前記第２の画像の領域を減少させる制御を行う、
プロジェクター。
【請求項９】
画像を投写する投写部と、
ブラインドの操作部を模した操作部材と、
前記操作部材の回転操作を検出する検出部と、
当該検出部による検出に基づき、前記回転操作が対象動作に該当するかどうかを判定する判定部と、
当該判定部によって前記回転操作が前記対象動作に該当すると判定された場合、当該対象動作に応じた制御を行う制御部と、を含み、
前記対象動作は、開動作および閉動作を含み、
前記判定部は、前記操作部材が所定の方向に回転された場合に、前記回転操作が前記開動作に該当すると判定し、前記操作部材が前記開動作とは反対の方向に回転された場合に、前記回転操作が前記閉動作に該当すると判定し、
前記制御部は、前記判定部によって前記回転操作が前記開動作に該当すると判定された場合、前記投写部に対し、前記画像の投写を開始させる制御を行い、前記判定部によって前記回転操作が前記閉動作に該当すると判定された場合、前記投写部に対し、前記画像の投写を終了させる制御を行う、
プロジェクター。
【請求項１０】
請求項９に記載のプロジェクターであって、
前記制御部は、前記投写部に対し、前記操作部材の回転角度に基づいて、有効な画像の
領域の大きさを変化させる制御を行う、
プロジェクター。
【請求項１１】
投写部から画像が投写される投写対象領域における動作を検出し、
前記投写対象領域に沿って手が左方向または右方向に移動する動作が検出された場合に、前記動作が開動作に該当すると判定し、
前記投写対象領域に沿って手が前記開動作と反対の方向に移動する動作が検出された場合に、前記動作が閉動作に該当すると判定し、
前記動作が前記開動作に該当すると判定された場合、前記投写部に対し、前記画像の投写を開始させる制御を行い、
前記動作が前記閉動作に該当すると判定された場合、前記投写部に対し、前記画像の投写を終了させる制御を行う、
制御方法。
【請求項１２】
ブラインドの操作部を模した操作部材の回転操作を検出し、
前記操作部材が所定の方向に回転された場合に、前記回転操作が開動作に該当すると判定し、
前記操作部材が前記開動作とは反対の方向に回転された場合に、前記回転操作が閉動作に該当すると判定し、
前記回転操作が前記開動作に該当すると判定された場合、画像を投写する投写部に対し、前記画像の投写を開始させる制御を行い、
前記回転操作が前記閉動作に該当すると判定された場合、前記投写部に対し、前記画像の投写を終了させる制御を行う、
制御方法。